(57)【要約】【課題】  人体の股関節に近い可動範囲を有し、かつ、座った姿勢において股が開かず美しいポーズをとらせることができる人形を得る。【解決手段】  中空状の胴部材と中空状の脚部材とを両部材の中空部内に通された弾性体によって連結してなる人形の股関節構造において、胴部材の股間部を挟んで両側に股関節凹部を形成し、両股関節凹部を繋ぎ、脚部材には股関節凹部に嵌る形状の股関節凸部を形成し、股関節凹部に股関節凸部を嵌めた状態において胴部材の中空部と各脚部材の中空部とを連通させると共に両脚部材の中空部を連通し、胴部材の中空部内から各脚部材の中空部内へ通された一対の弾性体によって各脚部材をそれぞれ胴部材側へ牽引すると共に、胴部材の股間部を跨いで両脚部材の中空部内へ通された補助弾性体によって各脚部材をそれぞれ対向する脚部材側へ牽引する。【選択図】  図１
2008023045.tif 000002
【特許請求の範囲】
【請求項１】
中空状の胴部材と中空状の脚部材とを両部材の中空部内に通された弾性体によって連結してなる人形の股関節構造であって、胴部材には股間部を挟んで両側に股関節凹部が形成され、両股関節凹部は繋がっており、脚部材には股関節凹部に嵌る形状の股関節凸部が形成されており、股関節凸部を股関節凹部に嵌めた状態において胴部材の中空部と各脚部材の中空部とが連通していると共に両脚部材の中空部が股間部を跨いで連通しており、胴部材の中空部内から各脚部材の中空部内へ通された一対の弾性体によって各脚部材がそれぞれ胴部材側へ牽引されていると共に、胴部材の股間部を跨いで両脚部材の中空部内へ通された補助弾性体によって各脚部材がそれぞれ対向する脚部材側へ牽引されることを特徴とする人形の股関節構造。
【請求項２】
胴部材の中空部と各脚部材の中空部とが股関節凹部に形成された胴部材の中空部へ通じる開孔と股関節凸部に形成された脚部材の中空部へ通じる開孔とを介して連通しており、両脚部材の中空部が股間部に形成された両股関節凹部を繋ぐ連絡孔と当該股関節凸部に形成された脚部材の中空部へ通じる開孔とを介して連通している請求項１記載の人形の股関節構造。
【請求項３】
股関節凸部に形成された脚部材の中空部へ通じる開孔が、胴部材に対して脚部材を伸ばすように股関節凸部を股関節凹部に嵌めた状態において該股関節凹部の鼠径部に当たる部分に沿うように伸びている請求項２記載の人形の股関節構造。
【請求項４】
股関節凸部に形成された中空部へ通じる開孔が、股関節凹部の内面に対面している請求項２乃至４のいずれかに記載の人形の股関節構造。
【請求項５】
胴部材の中空部が股間部に形成された連結孔と繋がっており、股関節凹部に形成された胴部材の中空部へ通じる開孔が連結孔に繋がっている請求項２乃至４のいずれかに記載の人形の股関節構造。
【請求項６】
一対の弾性体と補助弾性体とが繋がっている請求項１乃至５のいずれかに記載の人形の股関節構造。
【請求項７】
請求項１乃至６のいずれかに記載の人形の股関節構造を備えた人形。
【発明の詳細な説明】
【技術分野】
【０００１】
本発明は、人形の股関節構造及び該股関節構造を備えた人形に関するものである。
【背景技術】
【０００２】
周知の通り、関節を可動できる人形のスタンダードな構造の一つとして、関節に当たる位置で分割された人形を構成する各部材を中空状に形成し、各部材の中空部に弾性体を通して牽引することによって連結する構造がある。この構造を採用した人形は、人形の関節に当たる部分に複雑な機構を使用する必要がなく、各関節の外観がスマートになるため、従来から多くの人形に採用されており、研究開発も多く行われている。
【０００３】
例えば、後出特許文献１には、胴部の下端に腰部が分割連接し、これに左右脚部が連接し、この左右脚部は左右大腿および左右足付の左右下腿とからなり、左右足には連結可能の足フックを設けている。そして、胴部の下部内方空胴に設けた案内棒に足引張りコイルばねの中央を引掛け、それから両側を胴部の下端より腰部を上下に貫通し、左右脚部内を基端より先端へと挿通し、左右下腿内の掛棒に両先端を引掛け、足引張りコイルばねを内設し、胴部に対して腰部および左右脚部の各連続面を圧接し、腰部および左右脚部を所要に弾支している人形玩具が開示されている。
【０００４】
また、後出特許文献２には、人形の手足を胴の内部に配した紐状の弾性体で連結する連結構造において、左右の大腿部に連結する一対の弾性体を人形の首部から下方に吊り下げた吊具に連結し、吊具から大腿部を連結する弾性体は、可動自在な腰部を通して大腿部に連結されている人形玩具が開示されている。
【０００５】
さらに、後出特許文献３には、人形自体の主体となる空洞状の胴体部と、この胴体部の上部に屈曲自在に弾発的に連繋した頸部分を有する頭体部と、同じく胴体部の上部左右の肩部分に屈曲自在に弾発的に連繋した左右の腕体部と、同じく胴体部の下部底面に屈曲自在に弾発的に連繋した左右脚体部と、頭体部、腕体部、脚体部夫々を胴体部内部で弾発的に牽引連繋する保持手段とからなり、脚体部は、胴体部の下部底面左右に形成したほぼ球面状の脚体連結凹面に嵌め入れられる筒状の腿部分、球筒状の膝部分、足首・足指を一体化してある脛部分を連繋して成り、保持手段は、頭体部内部、脚体部の脛部分内部夫々で頭体・脚体末端部を係止すると共に、胴体部の上下で貫通することで頭体部、左右の脚体部夫々の相互を連繋している頭体・脚体弾性紐材とから形成してある人形が開示されている。
【特許文献１】実開昭６３−１６６２９５号
【特許文献２】実用新案登録第３０５８１４０号
【特許文献３】実用新案登録第３０６８７０３号
【発明の開示】
【発明が解決しようとする課題】
【０００６】
しかし、前記各特許文献に開示された人形においては、胴部材の中空部から脚部材の中空部へ伸びる弾性体の牽引力によって胴部材と脚部材とを連結しているため、弾性体が回転軸となって脚部材が長手方向に対して垂直な方向に制限なく回転し、人体の股関節の可動範囲を越えた動作が可能となり、人形にポーズを取らせた際に不自然なポーズになることがあった。
【０００７】
また、特許文献１や特許文献２に開示された人形のように、胴部材の股関節に当たる部分が鼠径部に沿うように正面視略Ｖ字状に形成されている場合には、人形の股関節を屈曲させた際に、胴部材の股関節に当たる部分と脚部材の股関節に当たる部分とが干渉し合って自然と股を開いた状態となり、座った姿勢が不格好になるという問題点もあった。
【０００８】
そこで、本発明は、人体の股関節に近い可動範囲を有し、かつ、座った姿勢において股が開かず美しいポーズをとらせることができる人形を得ることを技術的課題として、その具現化をはかるべく、試作・実験を繰り返した結果、中空状の胴部材と中空状の脚部材とを両部材の中空部内に通された弾性体によって連結してなる人形の股関節構造において、胴部材の股間部を挟んで両側に股関節凹部を形成し、両股関節凹部を繋ぎ、脚部材には股関節凹部に嵌る形状の股関節凸部を形成し、股関節凹部に股関節凸部を嵌めた状態において胴部材の中空部と各脚部材の中空部とを連通させると共に両脚部材の中空部を連通し、胴部材の中空部内から各脚部材の中空部内へ通された一対の弾性体によって各脚部材をそれぞれ胴部材側へ牽引すると共に、胴部材の股間部を跨いで両脚部材の中空部内へ通された補助弾性体によって各脚部材をそれぞれ対向する脚部材側へ牽引すれば、人体の股関節に近い可動範囲を有する人形を得ることができるという刮目すべき知見を得、前記技術的課題を達成したものである。
【課題を解決するための手段】
【０００９】
前記技術的課題は、次の通りの本発明によって解決できる。
【００１０】
即ち、本発明に係る人形の股関節構造は、中空状の胴部材と中空状の脚部材とを両部材の中空部内に通された弾性体によって連結してなる人形の股関節構造であって、胴部材には股間部を挟んで両側に股関節凹部が形成され、両股関節凹部は繋がっており、脚部材には股関節凹部に嵌る形状の股関節凸部が形成されており、股関節凸部を股関節凹部に嵌めた状態において胴部材の中空部と各脚部材の中空部とが連通していると共に両脚部材の中空部が股間部を跨いで連通しており、胴部材の中空部内から各脚部材の中空部内へ通された一対の弾性体によって各脚部材がそれぞれ胴部材側へ牽引されていると共に、胴部材の股間部を跨いで両脚部材の中空部内へ通された補助弾性体によって各脚部材がそれぞれ対向する脚部材側へ牽引されるものである。
【００１１】
また、本発明は、前記人形の股関節構造において、胴部材の中空部と各脚部材の中空部とが股関節凹部に形成された胴部材の中空部へ通じる開孔と股関節凸部に形成された脚部材の中空部へ通じる開孔とを介して連通しており、両脚部材の中空部が股間部に形成された両股関節凹部を繋ぐ連絡孔と当該股関節凸部に形成された脚部材の中空部へ通じる開孔とを介して連通しているものである。
【００１２】
また、本発明は、前記いずれかの人形の股関節構造において、股関節凸部に形成された脚部材の中空部へ通じる開孔が、胴部材に対して脚部材を伸ばすように股関節凸部を股関節凹部に嵌めた状態において該股関節凹部の鼠径部に当たる部分に沿うように伸びているものである。
【００１３】
また、本発明は、前記いずれかの人形の股関節構造において、股関節凸部に形成された中空部へ通じる開孔が、股関節凹部の内面に対面しているものである。
【００１４】
また、本発明は、前記いずれかの人形の股関節構造において、胴部材の中空部が股間部に形成された連結孔と繋がっており、股関節凹部に形成された胴部材の中空部へ通じる開孔が連結孔に繋がっているものである。
【００１５】
また、本発明は、前記いずれかの人形の股関節構造において、一対の弾性体と補助弾性体とが繋がっているものである。
【００１６】
さらに、本発明に係る人形は、前記いずれかの股関節構造を備えたものである。
【発明の効果】
【００１７】
本発明によれば、胴部材の中空部から脚部材の中空部へ伸びる弾性体によって脚部材を胴部材側へ牽引すると共に、胴部材の股間部を跨いで両脚部材の中空部へ伸びる補助弾性体によって両脚部材を互いに股間部を挟んで反対側に位置する脚部材側へ牽引したので、補助弾性体の牽引によって脚部材の長手方向に対して垂直な方向の回転が規制され、人体の股関節に近い可動範囲を有する人形の股関節構造を得ることができる。また、胴部材の股関節に当たる部分の形状を鼠径部に沿うように正面視略Ｖ字状に形成した場合であっても、股関節を屈曲させた際に、胴部材の股関節凹部と脚部材の股関節凸部との干渉により股が開く方向に働く力を補助弾性体が股内側へ牽引して規制するため、座った姿勢において股が開かず、美しいポーズを取らせることができる。
【００１８】
従って、本発明の産業上利用性は非常に高いといえる。
【発明を実施するための最良の形態】
【００１９】
以下、本発明の実施の形態を図面に基づき説明する。
【００２０】
実施の形態１．
【００２１】
図１は本実施の形態に係る人形を示した部分断面図であり、腕部材及び上胴部材の一部については断面を省略している。図２は図１に示す人形の股関節を示した断面図である。図３は図２に示す人形の股関節を示した分解斜視図である。図４は図２に示す人形の股関節を示した正面図であり、図中、脚部材の股関節凸部が胴部材の股関節凹部に入り込んだ部分を点線にて示している。図５は図２に示す人形の股関節を屈曲させた状態を示した断面図であり、屈曲後の脚部材の状態を点線にて示している。これらの図において、１は、人形の頭を構成する頭部材２と、人形の胴体を構成する二分割された胴部材３と、人形の腕を構成する腕部材４と、人形の脚を構成する脚部材５とからなる人形である。
【００２２】
図１に示すように、頭部材２は、中空状であって首付け根に当たる位置に開孔６が形成されている。胴部材３は、人形の首・胸を構成する上胴部材７と、人形の腹・腰を構成する下胴部材８とからなっており、上胴部材７には、上端から下端へと貫通すると共に両肩関節に当たる位置で分岐する中空部９が形成されており、下胴部材８には、上端から股間部１０を残して下方まで伸びていると共に両股関節に当たる位置で分岐する中空部１１が形成されており、上胴部材７の首部１２先端には、首部１２を貫通する中空部９の開孔１３の直径よりも長い幅を持つＳ字状の掛け具１４が配置される。腕部材４は、人形の上腕を構成する上腕部材１５と、人形の肘関節を構成する肘関節部材１６と、人形の前腕を構成する前腕部材１７と、人形の手関節を構成する手関節部材１８と、人形の手を構成する手部材１９とからなっており、手部材１９を除く他の部材には、上端から下端へと貫通する中空部が形成されており、手部材１９には、掛け具が設けられている（図示せず）。脚部材５は、人形の膝上を構成する膝上部材２０と、人形の膝下を構成する膝下部材２１とからなっており、膝上部材２０には、下端から上端へと貫通すると共に股関節に当たる位置で分岐する中空部２２が形成されており、膝下部材２１には、膝関節に当たる部分に前後方向へ縦割された溝２３が形成されており、溝２３には掛け棒２４が架け渡されている。
【００２３】
さらに、人形１の股関節構造について詳述すると、図２乃至図４に示すように、下胴部材８には、股間部１０を挟んで両側に下向きお椀状の股関節凹部２５が形成されており、下胴部材８の股関節に当たる部分は鼠径部に沿うように略Ｖ字状に形成される（図４参照）。そして、下胴部材８の股関節に当たる位置で分岐した中空部１１は、両股関節凹部２５の上方に位置する面へ貫通して開孔２６を形成している。また、下胴部材８の股間部１０には、両股関節凹部２５を繋ぐように貫通する連絡孔２７が形成されている。
【００２４】
左・右膝上部材２０には、下胴部材８の股関節凹部２５に嵌る略球形状の股関節凸部２８が形成されている。そして、膝上部材２０の上端へ貫通する中空部２２は、股関節凸部２８の前方に位置する面に上方から脚部材５の長手方向に沿って下方へ伸びる開孔２９（図３参照）を形成しており、膝上部材２０の股関節に当たる位置で分岐した中空部２２は、股関節凸部２８の股間部１０側に接する面へ貫通して開孔３０を形成している。また、膝上部材２０の股関節凸部２８には、後方に位置する面に上方から股内側へ向かって下方へ伸びる隆起部３１が形成されている（図３参照）。
【００２５】
従って、下胴部材８の股関節凹部２５に膝上部材２０の股関節凸部２８を嵌め込むことにより、下胴部材８の中空部１１と膝上部材２０の中空部２２とが股関節凹部２５の開孔２６と股関節凸部２８の開孔２９を介して連通した状態となると共に、両膝上部材２０の股関節に当たる位置で分岐した中空部２２が股関節凸部２８の開孔３０と股間部１０の連絡孔２７を介して連通した状態となる。この時、図４に示すように、股関節凸部２８の開孔２９の一部は股関節凹部２５から露出した状態となる。
【００２６】
次に、本実施の形態に係る人形の組み立て態様について説明する。
【００２７】
図１に示すように、左・右腕部材４は、腕用弾性体３２を上胴部材７の中空部９を跨いで両腕部材４を構成する各部材の中空部に通し、腕用弾性体３２の両端を左・右手部材１９に設けられた掛け具に引っ掛けることにより、上胴部材７側へ牽引して圧接状態で連結させる。
【００２８】
左・右脚部材５は、一対の脚用弾性体３３を胴部材３の中空部９，１１から股関節凹部２５の開孔２６と股関節凸部２８の開孔２９を介して各脚部材５の中空部２２に通し、両脚用弾性体３３の上端を上胴部材７の首部１２先端に配置される掛け具１４に引っ掛けると共に、下端を膝下部材２１の掛け棒２４に掛けられた連結具３４に引っ掛けることにより、下胴部材８側へ牽引して圧接状態で連結される。さらに、脚用補助弾性体３５を股間部１０の連絡孔２７を跨いで両脚部材５の中空部２２に通し、脚用補助弾性体３５の両端を左・右膝下部材２１の掛け棒２４に掛けられた連結具３４を介して引っ掛けることにより、各脚部材５をそれぞれ対向する脚部材５側へ牽引して圧接状態で連結させる。
【００２９】
なお、上胴部材７と下胴部材８とは、両部材の中空部９，１１に通された脚用弾性体３５によって互いに牽引されて圧接状態で連結される。
【００３０】
次に、本実施の形態に係る人形の股関節の動作について説明する。
【００３１】
股関節を屈曲させると、図５に示すように、脚部材５は股間部１０の連結孔２７付近を中心として回転する。この時、脚部材５の中空部２２に通された脚用弾性体３３は股関節凸部２８の開孔２９に誘導されて中空部２２内で屈曲する。そして、胴部材３に対して脚部材５が約９０度屈曲したところで、股関節凸部２８の隆起部３１が股関節凹部２５の臀部側の縁に引っ掛かった状態となり、屈曲状態が維持される。なお、屈曲時における胴部材３の股関節凹部２５と脚部材５の股関節凸部２８との間の干渉によって生じる両脚部材５の股を開く方向への動きは、両脚部材５に対して脚用補助弾性体３５の牽引力が働くことによって規制される。また、脚用補助弾性体３５の牽引力によって脚部材５の長手方向に対して垂直な方向への回転も規制される。
【００３２】
実施の形態２．
【００３３】
本実施の形態は前記実施の形態に係る人形の股関節の変形例である。図６は本実施の形態に係る人形の股関節を示した断面図である。図７は図６に示す人形の股関節のＡ−Ａ線横断面図である。図８は図６に示す人形の股関節を示した分解斜視図である。図９は図６に示す人形の股関節を示した正面図である。図１０は本実施の形態に係る股関節構造を備えた人形の中空部に通された弾性体の様子を点線にて示した平面図である。図１１は図６に示す人形の股関節を屈曲させた場合の過程を示した正面図であり、胴部材及び弾性体は点線にて示している。この図において、図１〜図５と同一符号は同一又は相当部分を示している。
【００３４】
本実施の形態に係る人形の股関節構造は、図６乃至図８に示すように、下胴部材８の中空部３６が上端から股間部１０の下端を残して下方まで伸びていると共に股間部１０を含めた股関節に当たる位置で分岐している。そして、股間部１０を含めた股関節に当たる位置で分岐した中空部３６は、両股関節凹部２５の上方に位置する面から股間部１０側に位置する面まで湾曲して伸びる開孔３７（図８参照）を形成している。
【００３５】
また、膝上部材２０の中空部３８は下端から上端へと貫通している。そして、膝上部材２０の上端へ貫通した中空部３８は、股関節凸部２８の前方に位置する面に上方から股間部１０側に接する面へ湾曲して伸びる開孔３９（図８参照）を形成している。
【００３６】
従って、胴部材３に対して脚部材５を伸ばすように下胴部材８の股関節凹部２５に膝上部材２０の股関節凸部２８を嵌め込むことにより、下胴部材８の中空部３６と膝上部材２０の中空部３８とが股関節凹部２５の開孔３７と股関節凸部２８の開孔３９を介して連通した状態となると共に、両膝上部材２０の中空部３８も股関節凹部２５の開孔３７と股関節凸部２８の開孔３９を介して連通した状態となる。この時、図９に示すように、股関節凸部２８の開孔３９は、股関節凹部２５の鼠径部に当たる部分に沿うように伸びた状態となり、また、股関節凹部２５の内面に対面して外部から視認できない状態となる。
【００３７】
次に、本実施の形態に係る股関節構造を備えた人形の組み立て態様について説明する。
【００３８】
図１０に示すように、先ず、輪状に形成された弾性体４０を胴部材３の中空部９，１６に通して首部１２先端に設置された掛け具１４に引っ掛ける。次に、弾性体４０の下部をＷ字状に折り曲げて二股状に成形し、その両端を下胴部材８の開孔３７及び該開孔３７に対面する膝上部材２０の開孔３９を介して膝上部材２０の中空部３８に通し、膝下部材２１の掛け棒２４に掛けられた連結具３６に引っ掛ける。この時、弾性体４０の脚用弾性体３３に該当する部分は、膝上部材２０の開孔３９の股外側を通過し、弾性体４０の脚用補助弾性体３５に該当する部分は、膝上部材２０の開孔３９の股内側を通過する。これにより、両脚部材５は、胴部材３側へ牽引されて圧接状態で連結される。
【００３９】
従って、本実施の形態においては、脚用弾性体３３と脚用補助弾性体３５とが繋がった一本の弾性体４０によって構成されている。
【００４０】
次に、本実施の形態に係る人形の股関節の動作について説明する。
【００４１】
股関節を屈曲させると、図１１に示すように、脚部材５の股関節凸部２８に形成された開孔３９が股間部１０側へ湾曲していることから、胴部材３に対する脚部材５の屈曲角度が増すに従って弾性体４０の胴部材３の中空部９，１６から脚部材５の中空部３８へ伸びる部分が開孔３９に沿って股間部１０側へ誘導されて該開孔３９に接する位置において折れ曲がった状態となる（図１１の（ｂ）及び（ｃ）参照）。この時、弾性体４０の胴部材３の中空部９，１６から脚部材５の中空部３８へ伸びる部分は張った状態にあるため、脚部材５を股内側から股外側へ回転させる回転力を与える。しかし、弾性体４０の股間部１０を跨いで両脚部材５の中空部３８へ伸びる部分が両脚部材５を互いに引き合う方向へ牽引しているため、当該回転力が規制される。
【００４２】
本実施の形態によれば、股関節凹部及び股関節凸部に形成された胴部材の中空部から脚部材の中空部へ伸びる弾性体を通すための開孔と股間部を跨いで両脚部材へ伸びる弾性体を通すための開孔とが一体に形成されているため、輪状の弾性体を使用することにより、二つの役割を果たす弾性体を脚部材の中空部に通す作業が一度にでき、組み立て効率が格段に向上する。また、股関節を屈曲させていない状態において脚部材の股関節凸部に形成された開孔が胴部材の股関節凹部内面に接した状態となり、外部から視認できなくなるため、人形の外観が損なわれない。
【００４３】
なお、胴部材、腕部材及び脚部材の分割位置としては、前記各実施の形態に係る人形の胴部材、腕部材及び脚部材における分割位置に限定されず、異なる位置において分割してもよく、また、分割しなくてもよい。
【００４４】
弾性体としては、例えば、ゴム紐、バネなどがあるが、これらのものに限らず、各部材が離れないように牽引できる程度の張力を有するものであればよい。また、前記各実施の形態における脚用弾性体は、人形の股関節を構成する下胴部材や膝上部材に直接固定されておらず、両部材を跨いで上胴部材と膝下部材とに設けられた掛け具に固定されているが、人形の股関節を構成する部材に対して直接固定することもできる。
【００４５】
さらに、脚用弾性体や脚用補助弾性体を通して各部材を牽引した際に、１本の牽引力では足りない場合には、同じ箇所に複数本の弾性体を通すことによって牽引力の強さを調節することができる。
【図面の簡単な説明】
【００４６】
【図１】実施の形態１に係る人形を示した部分断面図である。
【図２】図１に示す人形の股関節を示した断面図である。
【図３】図２に示す人形の股関節を示した分解斜視図である。
【図４】図２に示す人形の股関節を示した正面図である。
【図５】図２に示す人形の股関節を屈曲させた状態を示した断面図である。
【図６】実施の形態２に係る人形の股関節を示した断面図である。
【図７】図６に示す人形の股関節のＡ−Ａ線横断面図である。
【図８】図６に示す人形の股関節を示した分解斜視図である。
【図９】図６に示す人形の股関節を示した正面図である。
【図１０】実施の形態２に係る股関節構造を備えた人形の中空部に通された弾性体の様子を点線にて示した平面図である。
【図１１】図６に示す人形の股関節を屈曲させた場合の過程を示した正面図である。
【符号の説明】
【００４７】
１  人形
２  頭部材
３  胴部材
４  腕部材
５  脚部材
６，１３，２６，２９，３０  開孔
７  上胴部材
８  下胴部材
９，１１，２２  中空部
１０  股間部
１２  首部
１４  掛け部
１５  上腕部材
１６  肘関節部材
１７  前腕部材
１８  手関節部材
１９  手部材
２０  膝上部材
２１  膝下部材
２３  溝
２４  掛け棒
２５  股関節凹部
２７  連絡孔
２８  股関節凸部
３１  隆起部
３２  腕用弾性体
３３  脚用弾性体
３４  連結具
３５  脚用補助弾性体
３６，３８  中空部
３７，３９  開孔
４０  弾性体
【図１】
2008023045.tif 000003
【図２】
2008023045.tif 000004
【図３】
2008023045.tif 000005
【図４】
2008023045.tif 000006
【図５】
2008023045.tif 000007
【図６】
2008023045.tif 000008
【図７】
2008023045.tif 000009
【図８】
2008023045.tif 000010
【図９】
2008023045.tif 000011
【図１０】
2008023045.tif 000012
【図１１】
2008023045.tif 000013